(57)【要約】      （修正有）【課題】単独や組み合わせで使用でき、キーのプログラミングができ、持ち運びやすく、マウス操作スペースを増やすことが可能な分離型キーボード構造を提供する。【解決手段】複数の第１の基本キー２１、少なくとも１つの第１の複合キー２２、及び少なくとも１つの第１の組み合わせキー２３が設けられた第１のキーボード２と、複数の第２の基本キー３１、少なくとも１つの第２の複合キー３２、及び少なくとも１つの第２の組み合わせキー３３が設けられた第２のキーボード３と、取り外し可能な接続ケーブル４と、を含む分離型キーボード構造１であって、第１のキーボードの内部には第１の処理モジュール２４を備え、第２のキーボードの内部には第２の処理モジュールを備え、第１の処理モジュールと第２の処理モジュールは、取り外し可能な接続ケーブルを介して少なくとも１つのプログラミング信号を相互に送受信することができる。【選択図】図３
0003232268.tif 000002
【実用新案登録請求の範囲】
【請求項１】
複数の第１の基本キー、少なくとも１つの第１の複合キー、及び少なくとも１つの第１の
組み合わせキーが設けられた第１のキーボードと、
複数の第２の基本キー、少なくとも１つの第２の複合キー、及び少なくとも１つの第２の
組み合わせキーが設けられた第２のキーボードと、
取り外し可能な接続ケーブルと、
を含む分離型キーボード構造であって、
前記第１のキーボードの内部には、第１の処理モジュールと第１のプログラミングモジュ
ールとが互いに接続されるように設けられた第１の制御回路を備え、
さらに、前記第１のキーボードには、前記第１の処理モジュールに電気的に接続された第
１の送信インターフェースと第１の接続インターフェースとが設けられており、
前記第１の送信インターフェースは、コンピュータに電気的に接続され、
前記第２のキーボードの内部には、第２の処理モジュールと第２のプログラミングモジュ
ールとが互いに接続されたように設けられた第２の制御回路を備え、
さらに、前記第２のキーボードには、前記第２の処理モジュールに電気的に接続された第
２の送信インターフェースと第２の接続インターフェースとが設けられており、
前記第２の送信インターフェースは、他のコンピュータに電気的に接続され、
前記取り外し可能な接続ケーブルは、一端が前記第１の接続インターフェースに電気的に
接続され、他端が前記第２の接続インターフェースに電気的に接続され、
前記第１の処理モジュールは、取り外し可能な接続ケーブルを介して少なくとも１つのプ
ログラミング信号を前記第２の処理モジュールに送信することができ、
前記第２の処理モジュールは、取り外し可能な接続ケーブルを介して前記プログラミング
信号を前記第１の処理モジュールに送信することができる、ことを特徴とする分離型キー
ボード構造。
【請求項２】
前記第１の制御回路は、前記第１の処理モジュールに電気的に接続された第１の発光モジ
ュールをさらに備える、ことを特徴とする請求項1に記載の分離型キーボード構造。
【請求項３】
前記第２の制御回路は、前記第２の処理モジュールに電気的に接続された第２の発光モジ
ュールをさらに備えること、を特徴とする請求項1に記載の分離型キーボード構造。
【請求項４】
前記第１の制御回路は、前記第１の処理モジュールと前記第１のプログラミングモジュー
ルに電気的に接続され、かつ前記プログラミング信号を保存する第１のストレージモジュ
ールをさらに備える、ことを特徴とする請求項1に記載の分離型キーボード構造。
【請求項５】
前記第２の制御回路は、前記第２の処理モジュールと前記第２のプログラミングモジュー
ルに電気的に接続され、かつ前記プログラミング信号を保存する第２のストレージモジュ
ールをさらに備える、ことを特徴とする請求項1に記載の分離型キーボード構造。
【請求項６】
前記第１のキーボードの第１の複合キーと第１の組み合わせキーとが同時に押されると、
前記第１の処理モジュールに対してコーディングコマンドが生成されて、前記第１の処理
モジュールは、前記第１の基本キーの操作によって前記第１のプログラミングモジュール
に対して少なくとも１つのコーディング信号を生成し、前記第１のプログラミングモジュ
ールは、前記プログラミング信号を生成して前記第１のストレージモジュールに保存し、
前記第１のストレージモジュールは、前記プログラミング信号を介して少なくとも１つの
コード構成に組み合わせられる、ことを特徴とする請求項４に記載の分離型キーボード構
造。
【請求項７】
前記第１のキーボードの第１の複合キー及び第１の基本キーが同時に押されると、前記第
１の処理モジュールに対してモード切り替えコマンドが生成されて、前記第１の処理モジ
ュールは、前記第１のストレージモジュールのコード構成を読み取る、ことを特徴とする
請求項６に記載の分離型キーボード構造。
【請求項８】
前記第２のキーボードの第２の複合キーと第２の組み合わせキーとが同時に押されると、
前記第２の処理モジュールに対してコーディングコマンドが生成されて、前記第２の処理
モジュールは、前記第２の基本キーの操作によって前記第２のプログラミングモジュール
に対して少なくとも１つのコーディング信号を生成し、前記第２のプログラミングモジュ
ールは、前記プログラミング信号を生成して前記第２のストレージモジュールに保存し、
前記第２のストレージモジュールは、前記プログラミング信号を介して少なくとも１つの
コード構成に組み合わせられる、ことを特徴とする請求項５に記載の分離型キーボード構
造。
【請求項９】
前記第２のキーボードの第２の複合キーと第２の基本キーとが同時に押されると、前記第
２の処理モジュールに対してモード切り替えコマンドが生成されて、前記第２の処理モジ
ュールは、前記第２のストレージモジュールのコード構成を読み取る、ことを特徴とする
請求項８に記載の分離型キーボード構造。
【請求項１０】
前記第１の送信インターフェース、前記第１の接続インターフェース、前記第２の送信イ
ンターフェース及び前記第２の接続インターフェースは、タイプＣ ＵＳＢポート、ミニ
ＵＳＢポート、又はマイクロＵＳＢポートである、ことを特徴とする請求項1に記載の分
離型キーボード構造。
【考案の詳細な説明】
【技術分野】
【０００１】
本考案は、キーボード構造に関し、特に、単独や組み合わせで使用することが可能で、キ
ーのプログラミングができ、持ち運びやすくマウス操作スペースを増やすことが可能な分
離型キーボード構造に関する。
【背景技術】
【０００２】
科学技術が爆発する現在の時代において、人々は、生活をより便利で多様化するために様
々な電子製品に依存しつつあり、電子製品の利用によって効率及び生産能力を改善し、多
くの時間を節約できるようになってきた。
その中では、コンピュータは、既に人々の生活に欠かせない重要なツールのひとつであり
、コンピュータでは、主要な機器としてホストコンピュータに加えて、キーボードは、コ
ンピュータにとっても非常に重要な装置のひとつである。
キーボードを使用すると、ユーザはコンピュータの操作をより直接的に制御することがで
き、コンピュータ用途の違いによってキーボードへの要求も異なり、キーボードの機能性
はｅスポーツゲームにとってより重要である。特に、ゲームメーカーは、設計上、ゲーム
キャラクターのアクションがキーボードの操作によって完了されるため、キーボードのク
イックファンクションキーは非常に重要である。
しかし、従来のキーボードが大きすぎるため持ち運びに不便があり、持ち運びの不便さに
加えて、マウスの操作スペースがキーボードの体積にも占有されてしまう。
現在、いくつかの分離型キーボード製品が市販されているが、この分離型キーボードの２
つのキーボードはそれぞれＣＰＵを備えておらず、互いにプログラミング及び記録するこ
とができないため、この分離型キーボードの２つのキーボードは、操作の際に組み合わせ
て使用する必要があり、マウスの操作スペースが占有される問題がある。
【０００３】
したがって、上記の欠点をどのように改善するかは、本考案の作成者が解決したい技術的
難所である。
【０００４】
これに鑑みて、上記の問題を効率的に解決するために、本考案の主な目的は、単独や組み
合わせで使用することが可能で、キーのプログラミングができ、持ち運びやすくマウス操
作スペースを増やすことが可能な分離型キーボード構造を提供することにある。
【考案の概要】
【０００５】
上記の目的を達成するために、本考案は、複数の第１の基本キー、少なくとも１つの第１
の複合キー、及び少なくとも１つの第１の組み合わせキーが設けられた第１のキーボード
と、複数の第２の基本キー、少なくとも１つの第２の複合キー、及び少なくとも１つの第
２の組み合わせキーが設けられた第２のキーボードと、取り外し可能な接続ケーブルと、
を含む分離型キーボード構造であって、前記第１のキーボードの内部には互いに接続され
た第１の処理モジュールと第１のプログラミングモジュールとが設けられた第１の制御回
路を備え、さらに、前記第１のキーボードには、前記第１の処理モジュールに電気的に接
続された第１の送信インターフェースと第１の接続インターフェースが設けられており、
前記第１の送信インターフェースがコンピュータに電気的に接続され、前記第２のキーボ
ードの内部には、第２の処理モジュールと第２のプログラミングモジュールとが互いに接
続されたように設けられた第２の制御回路を備え、さらに、前記第２のキーボードには、
前記第２の処理モジュールに電気的に接続された第２の送信インターフェースと第２の接
続インターフェースとが設けられており、前記第２の送信インターフェースは他のコンピ
ュータに電気的に接続され、前記取り外し可能な接続ケーブルは、一端が前記第１の接続
インターフェースに電気的に接続され、他端が前記第２の接続インターフェースに電気的
に接続され、前記第１の処理モジュールは、取り外し可能な接続ケーブルを介して少なく
とも１つのプログラミング信号を前記第２の処理モジュールに送信することができ、前記
第２の処理モジュールは、取り外し可能な接続ケーブルを介して前記プログラミング信号
を前記第１の処理モジュールに送信することができる、ことを特徴とする分離型キーボー
ド構造を提供する。
【０００６】
本考案の一実施例によれば、前記第１の制御回路は、前記第１の処理モジュールに電気的
に接続された第１の発光モジュールをさらに備える。
【０００７】
本考案の一実施例によれば、前記第２の制御回路は、前記第２の処理モジュールに電気的
に接続された第２の発光モジュールをさらに備える。
【０００８】
本考案の一実施例によれば、前記第１の制御回路は、前記第１の処理モジュール及び前記
第１のプログラミングモジュールに電気的に接続され、前記プログラミング信号を保存す
る第１のストレージモジュールをさらに備える。
【０００９】
本考案の一実施例によれば、前記第２の制御回路は、前記第２の処理モジュール及び前記
第２のプログラミングモジュールに電気的に接続され、前記プログラミング信号を保存す
る第２のストレージモジュールをさらに備える。
【００１０】
本考案の一実施例によれば、前記第１のキーボードの第１の複合キーと第１の組み合わせ
キーとが同時に押されると、前記第１の処理モジュールに対してコーディングコマンドが
生成され、前記第１の処理モジュールは、前記第１の基本キーの操作によって前記第１の
プログラミングモジュールに対して少なくとも１つのコーディング信号を生成し、前記第
１のプログラミングモジュールは、前記プログラミング信号を生成して前記第１のストレ
ージモジュールに保存し、前記第１のストレージモジュールは、前記プログラミング信号
を介して少なくとも１つのコード構成に組み合わせられる。
【００１１】
本考案の一実施例によれば、前記第１のキーボードの第１の複合キーと第１の基本キーと
が同時に押されると、前記第１の処理モジュールに対してモード切り替えコマンドが生成
され、前記第１の処理モジュールは、前記第１のストレージモジュールのコード構成を読
み取ることができる。
【００１２】
本考案の一実施例によれば、前記第２のキーボードの第２の複合キーと第２の組み合わせ
キーとが同時に押されると、前記第２の処理モジュールに対してコーディングコマンドが
生成され、前記第２の処理モジュールは、前記第２の基本キーの操作によって前記第２の
プログラミングモジュールに対して少なくとも１つのコーディング信号を生成し、前記第
２のプログラミングモジュールは、前記プログラミング信号を生成して前記第２のストレ
ージモジュールに保存し、前記第２のストレージモジュールは、前記プログラミング信号
を介して少なくとも１つのコード構成に組み合わせられる。
【００１３】
本考案の一実施例によれば、前記第２のキーボードの第２の複合キー及び第２の基本キー
が同時に押されると、前記第２の処理モジュールに対してモード切り替えコマンドが生成
され、前記第２の処理モジュールは、前記第２のストレージモジュールのコード構成を読
み取ることができる。
【００１４】
本考案の一実施例によれば、前記第１の送信インターフェース、前記第１の接続インター
フェース、前記第２の送信インターフェース及び前記第２の接続インターフェースは、タ
イプＣ ＵＳＢポート、ミニＵＳＢポート、又はマイクロＵＳＢポートであってよい。
【図面の簡単な説明】
【００１５】
【図１】本考案の分離型キーボード構造の概略図である。
【図２】本考案の分離型キーボード構造の別の観点からの概略図である。
【図３】本考案の分離型キーボード構造を示すブロック図である。
【図４】本考案の分離型キーボード構造の実施例を示す図一である。
【図５】本考案の分離型キーボード構造の実施例を示す図二である。
【図６】本考案の分離型キーボード構造を示すブロック図である。
【考案を実施するための形態】
【００１６】
以下に、添付図面を参照しながら好適な様々な例を列挙して本考案の分離型キーボード構
造の構成及び技術的内容について詳細に説明するが、もちろん、本考案が列挙されたこれ
らの実施例、図面又は詳細な説明に限定されるものではない。
【００１７】
なお、例に挙げた実施例及び添付の図面は、参照及び説明のためにのみ提供され、本考案
を限定するものではなく、これらの記載に基づいて容易に実施した修正又は変更も、本考
案の精神及び意図の範囲内であると見なされ、これらの創作ももちろん本考案の特許請求
の範囲に含まれることは、当該技術に精通している当業者が理解すべきであろう。
【００１８】
さらに、以下の実施例で言及される方向用語、例えば、「上」、「下」、「左」、「右」
、「前」、「後」などは、単なる参照するための方向である。したがって、使用される方
向用語は、本考案を限定するものではなく本考案を説明するために使用される。なお、以
下の各実施例では、同じ又は同様の要素には同じ又は同様の符号を使用する。
【００１９】
まず、図１〜図３を参照されたい。図１〜図３は、本考案の分離型キーボード構造１の概
略図、別の観点からの概略図及びブロック図である。図１〜図３に示すように、分離型キ
ーボード構造１は、第１のキーボード２と、第２のキーボード３と、取り外し可能な接続
ケーブル４とを含む。
【００２０】
ここで、第１のキーボード２は、複数の第１の基本キー２１と、少なくとも１つの第１の
複合キー２２と、少なくとも１つの第１の組み合わせキー２３とを備え、第１のキーボー
ド２の内部に第１の制御回路２４が設けられ、第１の制御回路２４は、互いに接続された
第１の処理モジュール２４１と第１のプログラミングモジュール２４２とを備える。
また、第１の制御回路２４には、第１の処理モジュール２４１に電気的に接続された第１
の発光モジュール２４３が設けられ、さらに、第１の制御回路２４には、第１の処理モジ
ュール２４１及び第１のプログラミングモジュール２４２に電気的に接続された第１のス
トレージモジュール２４４が設けられている。
第１のキーボード２は、第１の処理モジュール２４１に電気的に接続された第１の送信イ
ンターフェース２５及び第１の接続インターフェース２６を備え、第１の送信インターフ
ェース２５、第１の接続インターフェース２６、第２の送信インターフェース３５及び第
２の接続インターフェース３６は、タイプＣ ＵＳＢポートやミニＵＳＢポート又はマイ
クロＵＳＢポートであってよい。
【００２１】
第２のキーボード３は、複数の第２の基本キー３１と、少なくとも１つの第２の複合キー
３２と、少なくとも１つの第２の組み合わせキー３３とを備え、第２のキーボード３の内
部に第２の制御回路３４が設けられ、第２の制御回路３４は、互いに接続された第２の処
理モジュール３４１と第２のプログラミングモジュール３４２とを備える。
また、第２の制御回路３４には、第２の処理モジュール３４１に電気的に接続された第２
の発光モジュール３４３が設けられ、さらに、第２の制御回路３４には、第２の処理モジ
ュール３４１及び第２のプログラミングモジュール３４２に電気的に接続された第２のス
トレージモジュール３４４が設けられている。第２のキーボード３は、第２の処理モジュ
ール３４１に電気的に接続された第２の送信インターフェース３５及び第２の接続インタ
ーフェース３６を備える。
【００２２】
取り外し可能な接続ケーブル４の一端は、第１の接続インターフェース２６に電気的に接
続され、他端は、第２の接続インターフェース３６に電気的に接続されている。
【００２３】
次に、前述の添付図面に併せながら図４〜図６を参照されたい。図４〜図６は、本考案の
分離型キーボード構造１を示す概略図一、概略図二及びブロック図である。ここで、使用
上、分離型キーボード構造１は、第１のキーボード２と第２のキーボード３とに対し、取
り外し可能な接続ケーブル４によって第１の接続インターフェース２６と第２の接続イン
ターフェース３６とを電気的に接続することで、第１の処理モジュール２４１と第２の処
理モジュール３４１とが取り外し可能な接続ケーブル４を介して電気的に接続される。
さらに、第１のキーボード２は、第１の送信ケーブルを介して第１の送信インターフェー
ス２５とコンピュータ５とを電気的に接続し、その結果、ユーザが第１の基本キー２１と
第２の基本キー３１とを単独押すと、第１の処理モジュール２４１と第２の処理モジュー
ル３４１とでコンピュータ５に対し対応する押付け信号がそれぞれ生成される。
【００２４】
そして、第１の処理モジュール２４１と第２の処理モジュール３４１とが取り外し可能な
接続ケーブル４を介して電気的に接続される場合、第１のキーボード２の第１の複合キー
２２及び第１の組み合わせキー２３を同時に押すことができ、ここで、第１の複合キー２
２はキーFnで、第１の組み合わせキー２３はキーCtrlでよいが、第１の複合キー２２及び
第１の組み合わせキー２３は、これに限定されない。
第１のキーボード２の第１の複合キー２２及び第１の組み合わせキー２３が同時に押され
ると、第１の処理モジュール２４１に対してコーディングコマンドが生成され、第１の処
理モジュール２４１がコーディングモードに進むと同時に、第１の処理モジュール２４１
は、第１の発光モジュール２４３に対し制御信号を生成して光源が生成される。
すると、ユーザは、キーYなどのコーディングされた第１の基本キー２１を押し、そして
キーQなどのコーディングしようとする第１の基本キー２１又は第２の基本キー３１をさ
らに押し、第１の処理モジュール２４１が第１の基本キー２１及び第２の基本キー３１が
押されたのを受信すると、第１の処理モジュール２４１は、第１のプログラミングモジュ
ール２４２に対して少なくとも１つのコーディング信号を生成し、第１のプログラミング
モジュール２４２はプログラミング信号を生成し、第１の処理モジュール２４１は、元々
キーQであった第１の基本キー２１をキーYに変換するとともに、第１のプログラミングモ
ジュール２４２は、第１のキーボード２の第１の基本キー２１のプログラミングが完了す
るまでにプログラミング信号を第１のストレージモジュール２４４に保存し、次いで、第
１のキーボード２の第１の複合キー２２と第１の組み合わせキー２３とが同時に再び押さ
れると、第１の処理モジュール２４１がコーディングモードを終了する。また、第１のス
トレージモジュール２４４は、プログラミング信号によって少なくとも１つのコード構成
に組合せて保存される。
【００２５】
一方、第１の処理モジュール２４１と第２の処理モジュール３４１とが取り外し可能な接
続ケーブル４を介して電気的に接続される場合、第２のキーボード３の第２の複合キー３
２及び第２の組み合わせキー３３を同時に押すことができ、ここで、第２の複合キー３２
はキーShiftで、第２の組み合わせキー３３はキーCtrlでよいが、第２の複合キー３２及
び第２の組み合わせキー３３は、これに限定されない。
第２のキーボード３の第２の複合キー３２及び第２の組み合わせキー３３が同時に押され
ると、第２の処理モジュール３４１に対してコーディングコマンドが生成され、第２の処
理モジュール３４１がコーディングモードに進むと同時に、第２の処理モジュール３４１
は、第２の発光モジュール３４３に対し制御信号を生成して光源が生成される。
すると、ユーザは、キーYなどのコーディングされた第２の基本キー３１を押し、そして
キーQなどのコーディングしようとする第１の基本キー２１又は第２の基本キー３１をさ
らに押し、第２の処理モジュール３４１が第１の基本キー２１及び第２の基本キー３１が
押されたのを受信すると、第２の処理モジュール３４１は、第２のプログラミングモジュ
ール３４２に対して少なくとも１つのコーディング信号を生成し、第２のプログラミング
モジュール３４２はプログラミング信号を生成し、第２の処理モジュール３４１は、元々
キーQであった第２の基本キー３１をキーYに変換するとともに、第２のプログラミングモ
ジュール３４２は、第２のキーボード３の第２の基本キー３１のプログラミングが完了す
るまでにプログラミング信号を第２のストレージモジュール３４４に保存し、次いで、第
２のキーボード３の第２の複合キー３２及び第２の組み合わせキー３３が同時に再び押さ
れると、第２の処理モジュール３４１がコーディングモードを終了する。
第２のストレージモジュール３４４は、プログラミング信号によってコード構成に組合せ
て保存される。したがって、第１のキーボード２及び第２のキーボード３の第１の基本キ
ー２１及び第２の基本キー３１のキーコードは相互に記録することができ、第１のキーボ
ード２は、第１の送信インターフェース２５を介してコンピュータ５に電気的に接続され
、第２のキーボード３は、第２の送信インターフェース３５を介して別のコンピュータ５
に電気的に接続されることができることによって、分離型キーボード構造１は、単独及び
組み合わせて使用可能で、キーのプログラミングができ、持ち運びやすくマウス操作スペ
ースを増やす効果を得られる。
【００２６】
また、第１のキーボード２の第１のストレージモジュール２４４に複数グループのコード
構成が保存されているため、第１のキーボード２はキーモードを個別に切り替えることが
できる。
第１のキーボード２の第１の複合キー２２及び第１の基本キー２１が同時に押されると、
第１の処理モジュール２４１に対してモード切り替えコマンドが生成され、第１の処理モ
ジュール２４１は、第１のストレージモジュール２４４のコード構成を読み取ることがで
き、ここで、切り替えモードとして、例えば、第１の複合キー２２はキーFnで、第１の基
本キー２１はキーMでよい。キーFnとキーMとが同時に押されると、そのモードは元のキー
モードであり、キーFnとキー＜とが同時に押される場合、第１の処理モジュール２４１は
、第１のストレージモジュール２４４に保存された第１グループのコード構成を読み取っ
て、第１の基本キー２１のキーコードがプログラミング信号によって形成された第１グル
ープのコード構成となる。
或いは、キーFnとキー＞とが同時に押される場合、第１の処理モジュール２４１は、第１
のストレージモジュール２４４に保存された第２グループのコード構成を読み取って、第
１の基本キー２１のキーコードがプログラミング信号によって形成された第２グループの
コード構成となる。
或いは、キーFnとキー？とが同時に押される場合、第１の処理モジュール２４１は、第１
のストレージモジュール２４４に保存された第３グループのコード構成を読み取って、第
１の基本キー２１のキーコードがプログラミング信号によって形成された第３グループの
コード構成となる。
これによって、第１の基本キー２１は、第１のストレージモジュール２４４の複数グルー
プのコード構成によって切り替えることができ、第１のキーボード２は、ユーザが切り替
えるために使用される複数グループのキーコードを有するという効果を達成することがで
きる。
一方、第２のキーボード３の第２のストレージモジュール３４４に複数グループのコード
構成が保存されているため、第２のキーボード３もキーモードを個別に切り替えることが
できる。第２のキーボード３の第２の複合キー３２と第２の基本キー３１とが同時に押さ
れると、第２の処理モジュール３４１に対してモード切り替えコマンドが生成され、第２
の処理モジュール２４１は、第２のストレージモジュール３４４のコード構成を読み取る
ことができ、ここで、切り替えモードとして、例えば、第２の複合キー３２はキーShift
で、第２の基本キー３１はキーＺでよい。
キーShiftとキーＺとが同時に押されると、そのモードは元のキーモードであり、キーShi
ftとキーＸとが同時に押される場合、第２の処理モジュール３４１は、第２のストレージ
モジュール３４４に保存された第１グループのコード構成を読み取って、第２の基本キー
３１のキーコードがプログラミング信号によって形成された第１グループのコード構成と
なる。
或いは、キーShiftとキーＣとが同時に押される場合、第２の処理モジュール３４１は、
第２のストレージモジュール３４４に保存された第２グループのコード構成を読み取って
、第２の基本キー３１のキーコードがプログラミング信号によって形成された第２グルー
プのコード構成となる。
或いは、キーShiftとキーＶとが同時に押される場合、第２の処理モジュール３４１は、
第２のストレージモジュール３４４に保存された第３グループのコード構成を読み取って
、第２の基本キー３１のキーコードがプログラミング信号によって形成された第３グルー
プのコード構成となる。
これによって、第２の基本キー３１は、第２のストレージモジュール３４４の複数グルー
プのコード構成によって切り替えることができ、第２のキーボード３は、ユーザが切り替
えるために使用される複数グループのキーコードを有するという効果を達成することがで
きる。
【００２７】
以上、上記のような実施例を例挙げて本考案の内容について詳細に説明したが、本考案は
、これらの実施例に限定されない。本考案が属する技術分野の通常の知識を持つ当業者は
、本考案の精神と範囲から逸脱されない限り、さまざまな変更や修正を行うことができ、
たとえば、上記の実施例に示されているさまざまな技術的内容を新しい実施例に組み合わ
されるか、又は変更されても、これらの実施例はもちろん、本考案が属する範囲と見なさ
れることは理解すべきであろう。したがって、本考案が保護しようとする範囲は、後述の
特許請求の範囲及び定義された範囲も含まれる。
【符号の説明】
【００２８】
１分離型キーボード構造
２第１のキーボード
２１第１の基本キー
２２第１の複合キー
２３第１の組み合わせキー
２４第１の制御回路
２４１第１の処理モジュール
２４２第１のプログラミングモジュール
２４３第１の発光モジュール
２４４第１のストレージモジュール
２５第１の送信インターフェース
２６第１の接続インターフェース
３第２のキーボード
３１第２の基本キー
３２第２の複合キー
３３第２の組み合わせキー
３４第２の制御回路
３４１第２の処理モジュール
３４２第２のプログラミングモジュール
３４３第２の発光モジュール
３４４第２のストレージモジュール
３５第２の送信インターフェース
３６第２の接続インターフェース
４取り外し可能な接続ケーブル
５コンピュータ
【図１】
0003232268.tif 000003
【図２】
0003232268.tif 000004
【図３】
0003232268.tif 000005
【図４】
0003232268.tif 000006
【図５】
0003232268.tif 000007
【図６】
0003232268.tif 000008